(57)【要約】【課題】消灯中に表示灯の回路やサージアブソーバなどからタイマ回路のコンデンサＣ１に充電されるリーク電流による点灯ミス防止する。【解決手段】放電管ＦＬの両端の一方の端子をチョークコイルＣＨを介して交流電源ＡＣと接続し、他方にパワーＭＯＳＦＥＴＱ１を整流用のダイオードＤ１を介して接続した放電管用電子スターターの前記整流用ダイオードＤ１と並列にバイパス抵抗Ｒ５を備えることにより、並列に接続したバイパス抵抗Ｒ５がリーク電流をバイパスしてタイマ用のコンデンサＣ４に電荷が溜まらないようにするので、点灯不良を防ぐことができる。【選択図】  図１
2005019152.tif 000002
【特許請求の範囲】
【請求項１】
両端に一対のフィラメント端子が設けられた放電管の両端の一方の端子をチョークコイルを介して交流電源と接続し、他方にパワーＭＯＳＦＥＴを整流用のダイオードを介して接続して、そのパワーＭＯＳＦＥＴの制御端子に、一端を前記整流用ダイオードとフィラメント端子間に接続したドライブ抵抗の他端を接続し、かつ、そのドライブ抵抗を介して流れる電流を保持する平滑コンデンサを前記パワーＭＯＳＦＥＴのゲート端子とソース端子間に設けるとともに、その平滑コンデンサとドライブ抵抗を接続したパワーＭＯＳＦＥＴのゲート端子に、一方の入出力端子を整流用ダイオードとパワーＭＯＳＦＥＴ間に接続した制御端子付きの第２のスイッチング素子の他方の入出力端子を接続し、その第２のスイッチング素子の制御端子に、一端を整流用ダイオードとフィラメント端子間に接続した充電抵抗と、一端を整流用ダイオードとパワーＭＯＳＦＥＴのソース端子間に接続したタイマ用コンデンサと放電抵抗とを並列に接続した他端とをゲート抵抗を介して接続した放電管用電子スターター。
【請求項２】
上記第２のスイッチング素子の制御端子と、整流用ダオードとフィラメント端子間を微分コンデンサを介して接続した請求項１に記載の放電管用電子スターター。
【請求項３】
上記ゲート抵抗に代えて、ツェナーダイオードあるいはツェナーダイオードと抵抗との直列回路を設けた請求項１または２に記載の放電管用電子スターター。
【請求項４】
上記充電抵抗に代えて、ツェナーダイオードあるいはツェナーダイオードと抵抗との直列回路を設けた請求項１乃至３のいずれかに記載の放電管用電子スターター。
【請求項５】
上記整流用ダイオードと並列に、あるいは放電管と並列に、一端がフィラメント端子と整流用ダイオード間に接続され、他端がフィラメント端子とパワーＭＯＳＦＥＴ間に接続されて、微少電流を流すようにしたバイパス回路を備えた請求項１乃至４のいずれかに記載の放電管用電子スターター。
【発明の詳細な説明】
【０００１】
【発明の属する利用分野】
この発明は、予熱不足による点灯不良と舜断時の立ち消えを解消した放電管用電子スターターに関するものである。
【０００２】
【従来の技術】
近年、放電管（蛍光灯）の点灯をスムースにすることや黒化を防止するため、グローランプに代えて電子スターターが用いられるようになっている。
この電子スターターは、例えば、図６（ａ）の〔特許文献１〕に示すようなものである。
【０００３】
すなわち、両端に１対のフィラメント端子ｆ１、ｆ１’、ｆ２、ｆ２’が設けられた放電管（蛍光灯）ＦＬの一方のフィラメント端子ｆ１、ｆ２をチョークコイルＣＨを介して交流電源ＡＣと接続し、他方のフィラメント端子ｆ１’、ｆ２’に、図６（ｂ）のように、制御端子付きの第１のスイッチング素子（ここではＣＭＯＳ−ＦＥＴ）Ｑ１を整流用のダイオードＤ１を介して接続する。
【０００４】
そして、その第１のスイッチング素子Ｑ１を始動時にオンにして電流をフィラメント端子ｆ１、ｆ１’、ｆ２、ｆ２’に流して予熱を与えたのち、第１のスイッチング素子Ｑ１をオフにして点灯パルスを発生させ、放電管ＦＬを点灯状態にするというものである。
【０００５】
そのため、図６（ｂ）のものでは、トランジスタＱ２とＱ３とからなるスイッチ回路と、抵抗（図６ではサーミスタ）Ｒ１とコンデンサＣ１とからなるタイマ回路を設けるとともに、それらを駆動するためのダイオードＤ２とコンデンサＣ２とからなる電源回路を設け、さらに、ツェナーダイオードＤｚ１からなるコンパレータ回路を設けるようにしている。
【０００６】
こうすることで、始動時に負の半サイクルでダイオードＤ２に順電圧が加わると、コンデンサＣ２が充電され、同時に、ドライブ電圧が抵抗Ｒ２を介して第１のスイッチング素子Ｑ１の制御端子に印加される。そのため、第１のスイッチング素子Ｑ１はオンとなって、正の半サイクルのときに予熱電流が流れる。また、コンデンサＣ２に充電された電流は、ダイオードＤ３と抵抗Ｒ１を介してタイマ回路のコンデンサＣ１を充電する。この充電電圧は、トランジスタＱ２のエミッタ端子に印加されており、そのため、コンデンサＣ１の充電電圧がツェナーダイオードＤｚ１をオンする電圧に達すると、トランジスタＱ２がオンとなり、トランジスタＱ３へベース電流を流す。その結果、トランジスタＱ３がオンとなり、第１のスイッチング素子はオフとなって点灯パルスを発生させる。このとき、コンデンサＣ１の電荷は、トランジスタＱ２を介してトランジスタＱ３のベースへ流れ、引き続きトランジスタＱ３をオンにする。そのため、徐々にコンデンサＣ１の電圧が低下し、トランジスタＱ３はオフになる。また、このときコンデンサＣ２の電荷は抵抗Ｒ２を介して放電されているので、第１のスイッチング素子Ｑ１はオンにならない。ここで、放電管ＦＬが点灯すると、回路に印加される電圧（ＸとＹ端子）が低下してツェナーダイオードＤｚがオフとなり、回路はオフになる。一方、点灯に失敗した場合は、先の点灯動作を繰り返す。
【０００７】
【特許文献１】
特開平５−２９０９８４号公報
【０００８】
【発明が解決しようとする課題】
しかしながら、上記の電子スターターでは、以下のような問題がある。
１．部品点数が多すぎるため、コストが掛かり過ぎる。
２．消灯中にタイマ回路のコンデンサＣ１に充電されるリーク電流により、点灯ミスを起こすことがある。例えば、図７（ａ）、（ｂ）のように、点灯スイッチ（（ａ）はメカニカル、（ｂ）はソリッドステート）ＳＷと並列に設けられる表示灯の回路やサージアブソーバなどに流れるリーク電流によって、消灯中にタイマ回路のコンデンサＣ１が充電されてしまうと、点灯時の予熱時間に不足を起こしてしまい、稀にではあるが点灯ミスを起こすことがある。こうなると、一旦、点灯動作を行ってタイマ回路のコンデンサＣ１を放電しなければならないので点灯に時間がかかる。特に、複数台の放電管ＦＬを同時に点灯する場合には、点灯時に点灯するものと、点灯できないものができる問題がある。
３．タイマ回路の図６（ｂ）のコンデンサＣ１の放電をスイッチ回路のトランジスタＱ３のベース回路を介して行っているため、この放電が十分に行われない場合があり、十分に行われないと再度点灯する際に予熱時間の不足を起こし、稀にではあるが点灯ミスを起こすことがある。特に、瞬断などで点灯時に電源電圧が過渡的に降下すると、立ち消えなどを起こすことがある。
【０００９】
そこで、この発明の課題は、部品点数を少なくすること、リーク電流の影響を排除すること、立ち消えを起こさないようにすることである。
【００１０】
【課題を解決するため構成】
上記の課題を解決するため、この発明では、両端に一対のフィラメント端子が設けられた放電管の両端の一方の端子をチョークコイルを介して交流電源と接続し、他方にパワーＭＯＳＦＥＴを整流用のダイオードを介して接続して、そのパワーＭＯＳＦＥＴの制御端子に、一端を前記整流用ダイオードとフィラメント端子間に接続したドライブ抵抗の他端を接続し、かつ、そのドライブ抵抗を介して流れる電流を保持する平滑コンデンサを前記パワーＭＯＳＦＥＴのゲート端子とソース端子間に設けるとともに、その平滑コンデンサとドライブ抵抗を接続したパワーＭＯＳＦＥＴのゲート端子に、一方の入出力端子を整流用ダイオードとパワーＭＯＳＦＥＴ間に接続した制御端子付きの第２のスイッチング素子の他方の入出力端子を接続し、その第２のスイッチング素子の制御端子に、一端を整流用ダイオードとフィラメント端子間に接続した充電抵抗と、一端を整流用ダイオードとパワーＭＯＳＦＥＴのソース端子間に接続したタイマ用コンデンサと放電抵抗とを並列に接続した他端とをゲート抵抗を介して接続した構成を採用したのである。
このような構成を採用することにより、始動時のパワーＭＯＳＦＥＴの制御端子の平滑コンデンサは、ドライブ抵抗を介して交流電源の負の半サイクルごとに充電される。この充電された電荷によってパワーＭＯＳＦＥＴはオンとなり、予熱電流を流すことができる。一方、第２のスイッチング素子の制御端子に接続されたタイマ用コンデンサも充電抵抗を介して交流電源の半サイクルごとに充電される。そして、この充電電圧が第２のスイッチング素子の例えば、スレッショルド電圧（ＭＯＳＦＥＴの場合）や飽和電圧（トランジスタの場合）を越えると、第２のスイッチング素子がオンとなり、パワーＭＯＳＦＥＴの制御端子の平滑コンデンサの電荷を放電してパワーＭＯＳＦＥＴをオフにし、チョークコイルに点灯パルスを発生させて放電管を点灯する。点灯後は、第２のスイッチング素子の制御端子に接続されたタイマ用コンデンサの電荷は、第２のスイッチング素子をオン状態とし、パワーＭＯＳＦＥＴをオフ状態に保持して正常点灯が行なえるようにする。また、瞬断時は、タイマ用コンデンサの電荷は放電抵抗が放電するので速かに点灯動作を繰り返すことができる。
【００１１】
このとき、上記第２のスイッチング素子の制御端子と、整流用ダオードとフィラメント端子間を微分コンデンサを介して接続した構成を採用することができる。
このような構成を採用することにより、交流電源の微分出力がタイマ用コンデンサに逐次充電される電荷によって上昇する電圧に重畳して、交流電源の負の毎サイクルごとに点灯パルスを発生させるようにできる。そのため、第２のスイッチング素子の制御端子に接続されたタイマ用コンデンサの充電状態に関わりなく負の毎サイクルごとに点灯パルスを発生し、自然に放電管を最良の状態で点灯させることができる。
【００１２】
また、このとき、上記ゲート抵抗に代えて、ツェナーダイオードあるいはツェナーダイオードと抵抗との直列回路を設けた構成を採用することができる。
このような構成を採用することにより、ツェナーダイオードのツェナー電圧あるいはツェナー電圧とツェナーダイオードに直列に接続された抵抗値に基づいて第２のスイッチング素子をオンにする電圧を設定すれば、予熱時間を最適に変えられる。
【００１３】
また、上記充電抵抗に代えて、ツェナーダイオードあるいはツェナーダイオードと抵抗との直列回路を設けた構成を採用することができる。
このような構成を採用することにより、第２のスイッチング素子の制御端子に接続されたタイマ用コンデンサの充電開始電圧をツェナーダイオードのツェナー電圧あるいはツェナー電圧とツェナーダイオードに直列に接続された抵抗値に基づいて設定すれば、予熱時間を最適に変えられる。
【００１４】
また、上記整流用ダイオードと並列に、あるいは放電管と並列に、一端がフィラメント端子と整流用ダイオード間に接続され、他端がフィラメント端子とパワーＭＯＳＦＥＴ間に接続されて、微少電流を流すようにしたバイパス回路を備えた構成を採用することができる。
このような構成を採用することにより、整流用ダイオードあるいは放電管と並列に接続したバイパス回路がリーク電流を流してタイマ用のコンデンサに電荷が溜まらないようにできるので、点灯不良を防ぐことができる。
【００１５】
【発明の実施の形態】
以下、この発明の実施の形態を図面に基づいて説明する。
【００１６】
図１に示すように、この形態の放電管用電子スターターは、パワーＭＯＳＦＥＴＱ１、整流用のダイオードＤ１、ドライブ抵抗Ｒ３、平滑コンデンサＣ３、第２のスイッチング素子Ｑ２、充電抵抗Ｒ４、タイマ用コンデンサＣ４、放電抵抗Ｒ７及びバイパス抵抗Ｒ５とで構成されており、図１のように、放電管（ここでは、蛍光灯）ＦＬの他方のフィラメント端子ｆ１’、ｆ２’に接続される。すなわち、両端に設けられた１対のフィラメント端子ｆ１、ｆ１’、ｆ２、ｆ２’の一方のフィラメント端子ｆ１、ｆ２をサージアブソーバＳを設けた点灯スイッチＳＷを介して交流電源ＡＣに接続した放電管ＦＬの他方のフィラメント端子ｆ１’、ｆ２’に接続される。
【００１７】
パワーＭＯＳＦＥＴＱ１は、図１に示すように、保護用等価ダイオードＤｑを内蔵するＮｃｈ型（エンハンスメント）のもので、ドレイン端子ｄを放電管ＦＬの他方のフィラメント端子ｆ１’、ｆ２’の一方と接続し、ソース端子ｓを整流用のダイオードＤ１を介して放電管ＦＬの他方のフィラメント端子ｆ１’、ｆ２’と接続するようになっている。
【００１８】
整流用ダイオードＤ１は、ここでは、アノード端子ａをパワーＭＯＳＦＥＴＱ１のソース端子ｓと接続し、カソード端子ｋをフィラメント端子ｆ２’と接続することにより、アノードａからカソードｋ端子の方向（交流電源の正の半サイクル）へのみ予熱電流を流すようになっている。
なお、この形態では、安全のため、整流用ダイオードＤ１のカソード端子ｋとフィラメント端子ｆ２’間に突入電流制限抵抗Ｒｓと温度ヒューズＦＳを設けるようにしてある。
【００１９】
ドライブ抵抗Ｒ３は、一端を前記整流用ダイオードＤ１とフィラメント端子ｆ２’間に接続し、他端をパワーＭＯＳＦＥＴＱ１のゲート端子ｇに接続することにより、パワーＭＯＳＦＥＴＱ１のゲート端子ｇに交流電源の負の半サイクルにドライブ電圧を供給する。
【００２０】
平滑コンデンサＣ３は、パワーＭＯＳＦＥＴＱ１のゲート端子ｇとソース端子ｓ間に設けてあり、ドライブ抵抗Ｒ３によって負の半サイクルに供給されるドライブ電流（電荷）を保持して、その保持した電荷の電圧で正の半サイクルのときにパワーＭＯＳＦＥＴＱ１を作動するためのものである。
【００２１】
第２のスイッチング素子Ｑ２は、ここではＮｃｈのＭＯＳＦＥＴを用いており、ＭＯＳＦＥＴのドレイン端子ｄ２をパワーＭＯＳＦＥＴＱ１のゲート端子ｇと接続し、ソース端子ｓ２をパワーＭＯＳＦＥＴＱ１のソース端子ｓと整流用ダイオードＤ１のアノード端子ａとの間に接続してある。また、ゲート端子ｇ２は、ゲート抵抗Ｒ６を介して充電抵抗Ｒ４とタイマ用コンデンサＣ４及び放電抵抗Ｒ７に接続してある。
【００２２】
充電抵抗Ｒ４は、一端を整流用ダイオードＤ１とフィラメント端子ｆ２’間に接続し、他端を先に述べたようにゲート抵抗Ｒ６に接続してある。また、タイマ用コンデンサＣ４は、放電抵抗Ｒ７と並列に接続して、その一端を整流用ダイオードＤ１とパワーＭＯＳＦＥＴＱ１のソース端子ｓ間に接続し、他端をゲート抵抗Ｒ６に接続してある。そのため、充電抵抗Ｒ４と整流用ダイオードＤ１を介して並列に接続されたタイマ用コンデンサＣ４は、負の半サイクルで充電抵抗Ｒ４を介して充電される。一方、予熱電流の流れる正の半サイクルでは、タイマ用コンデンサＣ４は、負の半サイクルによって図１の極性で充電されているため、充電された電荷を保持するように放電抵抗Ｒ７の値を設定してある。
【００２３】
バイパス抵抗Ｒ５は、整流用ダイオードＤ１と並列に設けられたもので、抵抗値の高い高抵抗を使用することにより、この抵抗Ｒ５が点灯スイッチ（半導体スイッチを含む）ＳＷのオフの時に、リーク電流をバイパスし、タイマ用コンデンサＣ４の充電を防止する。
【００２４】
なお、図１の符号Ｄｚ２は、ゲート保護用のツェナーダイオードである。
【００２５】
この形態は、上記のように構成されており、次に、この放電管用電子スターターの点灯動作を説明する。
【００２６】
この放電管用電子スターターでは、点灯スイッチＳＷをオフにした消灯状態の際に流れる例えば、点灯スイッチに並列に設けたサージアブソーバＳによるリーク電流Ｉｌは、図１のように、バイパス抵抗Ｒ５を介して流れるので、タイマ用コンデンサＣ４はリーク電流Ｉｌによって予め充電されないようになっている。そのため、リーク電流Ｉｌの影響を排除して予熱時間不足による点灯ミスを起き難くできる。
【００２７】
また、点灯スイッチＳＷをオンにして、交流電源ＡＣから負の半サイクルの電圧が印加されると、交流電源ＡＣ→放電管のフィラメント端子ｆ２、ｆ２’→抵抗Ｒｓ→ドライブ抵抗Ｒ３→平滑コンデンサＣ３→パワーＭＯＳＦＥＴＱ１の保護用ダイオードＤｑ→放電管のフィラメント端子ｆ１’、ｆ１→交流電源（チョークコイルと点灯スイッチ省略）ＡＣと電流が流れて平滑コンデンサＣ３を充電する。
【００２８】
同時に、交流電源ＡＣ→放電管のフィラメント端子ｆ２、ｆ２’→抵抗Ｒｓ→充電抵抗Ｒ４→タイマ用コンデンサＣ４→パワーＭＯＳＦＥＴＱ１の保護用ダイオードＤｑ→放電管のフィラメント端子ｆ１’、ｆ１→交流電源ＡＣと電流が流れてタイマ用コンデンサＣ４を充電する。
【００２９】
次に、交流のサイクルが反転して交流電源ＡＣから正の半サイクルの電圧が印加されると、順方向にバイアスされたパワーＭＯＳＦＥＴＱ１は、負の半サイクルで充電された平滑コンデンサＣ３によってオンとなり、交流電源ＡＣ→放電管のフィラメント端子ｆ１、ｆ１’→パワーＭＯＳＦＥＴＱ１→整流用ダイオードＤ１→抵抗Ｒｓ→フィラメント端子ｆ２’、ｆ２→交流電源ＡＣへと予熱電流Ｉｈが流れる。
【００３０】
このようにして予熱が進み、タイマ用コンデンサＣ４の充電が進んで電圧が上昇するので、ゲート抵抗Ｒ６を介してゲート端子ｇ２に印加されるタイマ用コンデンサＣ４の電圧Ｖｃ１が、第２のスイッチング素子Ｑ２のスレッショルド電圧を越えると、第２のスイッチング素子Ｑ２がオンとなり、オンとなった第２のスイッチング素子Ｑ２がパワーＭＯＳＦＥＴＱ１のゲート端子ｇをソース端子ｓに短絡してパワーＭＯＳＦＥＴＱ１をオフにする。そのため、オフになったパワーＭＯＳＦＥＴＱ１によって予熱電流Ｉｈが急激に遮断され、遮断された予熱電流ＩｈによってチョークコイルＣＨが点灯パルスを発生して放電管ＦＬを点灯させる（図２）。
【００３１】
放電管ＦＬが点灯すると、放電管ＦＬのフィラメント端子ｆ１、ｆ１’、ｆ２、ｆ２’間は管電圧となり、タイマ用コンデンサＣ４の電荷は、保持されて第２のスイッチング素子Ｑ２はオンとなり、パワーＭＯＳＦＥＴＱ１はオフとなって放電管ＦＬは正常に点灯する。
【００３２】
いま、例えば点灯中に瞬断を生じて電圧が降下して放電管ＦＬが消灯すると（例えば、蛍光灯の場合約８０Ｖ位で放電が維持できなくなって消灯する）、このとき消灯後のタイマ用コンデンサＣ４は、放電抵抗Ｒ７を介して速やかに放電し、予熱時間ｔを経て復電すると瞬時に再点灯が可能である。よって、立ち消えを起こさない。
【００３３】
このように、簡単な回路で部品点数が少なくても、点灯スイッチＳＷに設けたサージアブソーバーや表示灯回路のリーク電流の影響を排除し、さらに、立ち消えを起こさないようにすることができる。
【００３４】
なお、上記形態では、バイパス回路として、整流用ダイオードＤ１と並列にバイパス抵抗Ｒ５を設けた回路を示したが、バイパス回路としては、図１の符号Ｂに示すような回路であっても良い。
【００３５】
すなわち、放電管ＦＬと並列に、一端をフィラメント端子ｆ２’と整流用ダイオードＤ１間に接続し、他端をフィラメント端子ｆ１’とパワーＭＯＳＦＥＴＱ１間に接続したダイオードＤ２と高抵抗Ｒ９とからなる直列回路を用いても良い。
【００３６】
このような回路を用いても、点灯スイッチに並列に設けたサージアブソーバＳによるリーク電流は、図１のように、直列回路を介して流れるので、タイマ用コンデンサＣ４をリーク電流で充電しないようにできる。そのため、リーク電流の影響を排除することができる。
【００３７】
図３に第２実施形態を示す。
【００３８】
この形態は、図１の第２のスイッチング素子Ｑ２のゲート端子ｇ２と、整流用ダイオードＤ１とフィラメント端子ｆ２’間に微分コンデンサＣ５を設けて、微分コンデンサＣ５を介して両者を接続したものである。
【００３９】
すなわち、微分コンデンサＣ５は、一端が第２のスイッチング素子Ｑ２のゲート端子ｇ２と接続されており、他端を整流用ダイオードＤ１とフィラメント端子ｆ２’間に接続することにより、交流電源ＡＣに基づくトリガ用の信号を直接第２のスイッチング素子Ｑ２のゲート端子ｇ２に入力するようにしてある。このようにすることで、図４に示すように、微分コンデンサＣ５が負の毎サイクルごとに微分パルスをタイマ用コンデンサＣ４の逐次上昇する充電電圧に重畳するので、重畳された電圧で放電管ＦＬの予熱準備が整ったところで（タイマ用コンデンサＣ４の充電電圧の上昇を待たなくとも）、点灯することができる。このため、点灯時間を短縮できる。このとき、微分用コンデンサＣ５とゲート抵抗Ｒ６の値を選択すると重畳される微分量を変えることができるので、微分量を変えて微分パルスのレベルを調整すれば、放電管の特性に合せた最適な点灯条件を設定することができる。
【００４０】
図５に第３実施形態として、ゲート抵抗Ｒ６と充電抵抗Ｒ４に代えてツェナーダイオードＤｚ３あるいはツェナーダイオードＤｚ４と抵抗Ｒ８との直列回路を設けたものである。
【００４１】
このようにツェナーダイオードＤｚ３あるいはツェナーダイオードＤｚ４と抵抗Ｒ８（ツェナーダイオードＤｚ４のオン電圧を調整するための抵抗）との直列回路を用いることにより、タイマ用コンデンサＣ４への充電を開始する電圧と第２のスイッチング素子Ｑ２のスレッショルド電圧によるスイッチングを行う電圧を変更できるので、予熱時間を調整することができる。したがって、予熱時間を最適に調整することにより、点灯ミスなどが起きにくくできる。
【００４２】
また、ツェナーダイオードＤｚ３、Ｄｚ４に温度特性の良いものを用いれば、予熱時間を正確にできる。
【００４３】
なお、図５では、ツェナーダイオードＤｚ４に抵抗Ｒ８を設けたものを示したが、これに限定されるものではない。ツェナーダイオードＤｚ３に抵抗を設けるようにしても良いし、ツェナーダイオードＤｚ４の抵抗Ｒ８を除いてもよい。
【００４４】
また、上記実施形態では、パワーＭＯＳＦＥＴＱ１のゲート端子ｇとソース端子ｓに設けた平滑コンデンサＣ３の容量を小さくするようにすれば、容量を小さくしたことにより大きくなった前記コンデンサＣ３の充放電時のリップル波形の下限側が、パワーＭＯＳＦＥＴＱ１のスレッショルド電圧をクロスする際に、パワーＭＯＳＦＥＴＱ１をオフにすることができるので、これを用いて点灯させるようにもできる。こうすると回路をよりシンプルにできる。
【００４５】
【発明の効果】
この発明は、以上のように構成したことにより、部品点数を少なくし、かつ、リーク電流の影響を排除するとともに、立ち消えを起こさないようにできる。
【図面の簡単な説明】
【図１】第１実施形態の回路図
【図２】第１実施形態の波形図
【図３】第２実施形態の回路図
【図４】第２実施形態の波形図
【図５】第３実施形態の回路図
【図６】（ａ）、（ｂ）従来例の回路図
【図７】（ａ）、（ｂ）従来例の回路図
【符号の説明】
ＡＣ  交流電源
ＣＨ  チョーク回路
Ｃ３  平滑コンデンサ
Ｃ４  タイマ用コンデンサ
Ｄｚ１  ツェナーダイオード
Ｄｚ２  ツェナーダイオード
Ｄｚ３  ツェナーダイオード
Ｄｚ４  ツェナーダイオード
Ｑ１    ＣＭＯＳＦＥＴ
Ｑ４    第２のスイッチング素子
Ｒ４    充電抵抗
Ｒ５    バイパス抵抗
Ｒ６    ゲート抵抗
【図１】
2005019152.tif 000003
【図２】
2005019152.tif 000004
【図３】
2005019152.tif 000005
【図４】
2005019152.tif 000006
【図５】
2005019152.tif 000007
【図６】
2005019152.tif 000008
【図７】
2005019152.tif 000009